【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  画像形成装置に着脱自在な現像剤補給キットにおいて、
現像剤を収容する現像剤容器と、
前記現像剤容器に設けられた現像剤排出部と、
前記現像剤容器内の現像剤を回転に伴い前記現像剤排出部に向けて搬送する搬送部材と、を有し、
前記搬送部材は、前記現像剤容器の長手方向に沿って延びた板状部材と、前記板状部材上の現像剤を回転に伴い前記現像剤排出部に向けてガイドするガイド部と、前記板状部材上の現像剤を回転に伴い落下させる貫通口と、を有し、
１２８．４ｇ／ｃｍ2の垂直荷重を付与後の現像剤の粘着強度は０．６０ｇ／ｃｍ2以上３．００ｇ／ｃｍ2よりも小さいことを特徴とする現像剤補給キット。
【請求項２】  １２８．４ｇ／ｃｍ2の垂直荷重を付与後の現像剤のせん断指数は、１．０２以上であり且つ５．００よりも小さいことを特徴とする請求項１の現像剤補給キット。
【請求項３】  前記ガイド部は前記板状部材の両面に設けられていることを特徴とする請求項１又は２の現像剤補給キット。
【請求項４】  前記板状部材の両面のガイド部はそれぞれ一方向への回転に伴い前記現像剤排出部に向けて現像剤をガイドするよう設けられていることを特徴とする請求項３の現像剤補給キット。
【請求項５】  前記ガイド部は前記板状部材の長手方向に複数設けられ、これらのうちの１つは前記現像剤排出部の近傍もしくは接続するように設けられていることを特徴とする請求項１乃至４のいずれかの現像剤補給キット。
【請求項６】  前記搬送部材と前記現像剤容器は共に一体で回転自在であることを特徴とする請求項１乃至５のいずれかの現像剤補給キット。
【請求項７】  画像形成装置に着脱自在な現像剤補給キットにおいて、
現像剤を収容する現像剤容器と、
前記現像剤容器に設けられた現像剤排出部と、
前記現像剤容器内の現像剤を回転に伴い前記現像剤排出部に向けて搬送する搬送部材と、を有し、
前記搬送部材は、前記現像剤容器の長手方向に沿って延びた板状部材と、前記板状部材上の現像剤を回転に伴い前記現像剤排出部に向けてガイドするガイド部と、前記板状部材上の現像剤を回転に伴い落下させる貫通口と、を有し、
１２８．４ｇ／ｃｍ2の垂直荷重を付与後の現像剤のせん断指数は１．０２以上５．００よりも小さいことを特徴とする現像剤補給キット。
【請求項８】  前記ガイド部は前記板状部材の両面に設けられていることを特徴とする請求項７の現像剤補給キット。
【請求項９】  前記板状部材の両面のガイド部はそれぞれ一方向への回転に伴い前記現像剤排出部に向けて現像剤をガイドするよう設けられていることを特徴とする請求項８の現像剤補給キット。
【請求項１０】  前記ガイド部は前記板状部材の長手方向に複数設けられ、これらのうちの１つは前記現像剤排出部の近傍もしくは接続するように設けられていることを特徴とする請求項７乃至９のいずれかの現像剤補給キット。
【請求項１１】  前記搬送部材と前記現像剤容器は共に一体で回転自在であることを特徴とする請求項７乃至１０のいずれかの現像剤補給キット。
【手続補正２】
【補正対象書類名】明細書
【補正対象項目名】０００５
【補正方法】変更
【補正の内容】
【０００５】
他の従来例として、特許文献２に開示されている現像剤補給容器は、全体形状は円筒形のボトル状をなし、その内面には螺旋状の突起部を設け、一端側の中心付近に小さな現像剤の排出口を、排出口を設けた側の容器端面に迫り出し部をそれぞれ設けている。現像剤補給容器本体が回転することによって、螺旋状の突起部によって排出口側の端部へ搬送された現像剤は、軸方向端部の開口部近傍の迫り出し形状により案内されて容器中心付近の排出口へ持ち上げられて容器外へ排出される。
【手続補正３】
【補正対象書類名】明細書
【補正対象項目名】００１８
【補正方法】変更
【補正の内容】
【００１８】
【課題を解決するための手段】
上記目的は本発明に係る現像剤補給キットにて達成される。要約すれば、第１の本発明は、画像形成装置に着脱自在な現像剤補給キットにおいて、
現像剤を収容する現像剤容器と、
前記現像剤容器に設けられた現像剤排出部と、
前記現像剤容器内の現像剤を回転に伴い前記現像剤排出部に向けて搬送する搬送部材と、を有し、
前記搬送部材は、前記現像剤容器の長手方向に沿って延びた板状部材と、前記板状部材上の現像剤を回転に伴い前記現像剤排出部に向けてガイドするガイド部と、前記板状部材上の現像剤を回転に伴い落下させる貫通口と、を有し、
１２８．４ｇ／ｃｍ2の垂直荷重を付与後の現像剤の粘着強度は０．６０ｇ／ｃｍ2以上３．００ｇ／ｃｍ2よりも小さいことを特徴とする現像剤補給キットである。
【手続補正４】
【補正対象書類名】明細書
【補正対象項目名】００２０
【補正方法】変更
【補正の内容】
【００２０】
第２の本発明は、画像形成装置に着脱自在な現像剤補給キットにおいて、
現像剤を収容する現像剤容器と、
前記現像剤容器に設けられた現像剤排出部と、
前記現像剤容器内の現像剤を回転に伴い前記現像剤排出部に向けて搬送する搬送部材と、を有し、
前記搬送部材は、前記現像剤容器の長手方向に沿って延びた板状部材と、前記板状部材上の現像剤を回転に伴い前記現像剤排出部に向けてガイドするガイド部と、前記板状部材上の現像剤を回転に伴い落下させる貫通口と、を有し、
１２８．４ｇ／ｃｍ2の垂直荷重を付与後の現像剤のせん断指数は１．０２以上５．００よりも小さいことを特徴とする現像剤補給キットである。
【手続補正５】
【補正対象書類名】明細書
【補正対象項目名】００２１
【補正方法】変更
【補正の内容】
【００２１】
第１、第２の本発明の一実施態様によると、前記ガイド部は前記板状部材の両面に設けられている。他の実施態様によると、前記板状部材の両面のガイド部はそれぞれ一方向への回転に伴い前記現像剤排出部に向けて現像剤をガイドするよう設けられている。
【手続補正６】
【補正対象書類名】明細書
【補正対象項目名】００２２
【補正方法】変更
【補正の内容】
【００２２】
第１、第２の本発明の他の実施態様によると、前記ガイド部は前記板状部材の長手方向に複数設けられ、これらのうちの１つは前記現像剤排出部の近傍もしくは接続するように設けられている。
【手続補正７】
【補正対象書類名】明細書
【補正対象項目名】００２３
【補正方法】変更
【補正の内容】
【００２３】
第１、第２の本発明の他の実施態様によると、前記搬送部材と前記現像剤容器は共に一体で回転自在である。
【手続補正８】
【補正対象書類名】明細書
【補正対象項目名】００３７
【補正方法】変更
【補正の内容】
【００３７】
開口部１ａの大きさは、現像剤としてのトナーの排出性を左右する重要なファクターである。開口部１ａを大きくすれば、排出量はそれだけ多くできるが、逆に大きくとりすぎると、現像剤が開口部１ａでフラッシングしやすくなり、開口部１ａ付近の汚れがひどくなる。特に、開口部１ａの封止部材２を外した直後ではその傾向は顕著である。又、逆に、小さいと、十分な排出量が得られないばかりか、トナーが閉塞気味になる傾向があり、排出できなくなる。
【手続補正９】
【補正対象書類名】明細書
【補正対象項目名】００５３
【補正方法】変更
【補正の内容】
【００５３】
又、仕切り壁３を貫通する穴部３ｃがあることで、現像剤に流動性が付与され、優れた搬送能力を与える。しかし、穴部３ｃが大きすぎたり数が多かったりすると、仕切り壁３によって現像剤を掬い上げることができなくなるので、好適な大きさと数に調整する。